【手続補正書】
【提出日】平成27年3月6日(2015.3.6)
【手続補正１】
【補正対象書類名】明細書
【補正対象項目名】全文
【補正方法】変更
【補正の内容】
【発明の詳細な説明】
【発明の名称】キッチンペーパーロール及びその製造方法
【技術分野】
【０００１】
本発明は、紙製のキッチンペーパーを巻き取ってロール形態にしたキッチンペーパーロールに関し、特に２枚のクレープ紙が積層されキッチンペーパーを巻き取ってロール形態にしたキッチンペーパーロール及びその製造方法に関する。
【背景技術】
【０００２】
キッチンペーパーは、調理、清掃、清拭、油濾しなどの種々の場面で用いられ、その用途は多岐にわたるが、特に食材の水切り、食器に付着した水分の拭取り、キッチンの汚れの拭取りに、頻繁に用いられる。
【０００３】
紙製のキッチンペーパーでは、図７（Ａ）に示すように、クレープ紙１１１にエンボス１１２を付与して表面に凹凸を設けることで掻き取り性を向上させるとともに、特にそのエンボス凸部の頂部１１２ａに接着剤１４０を付与し、その頂部を介して複数のクレープ紙（通常２枚）を接着して積層一体化して、積層する各クレープ紙間の空隙１１３を設けて、液保持性や吸液量、液保持量を高めることが行なわれる。
【０００４】
しかし、図７（ｂ）に示すように、クレープ紙１１１は、表面に微細なクレープを有する紙であるがゆえに、吸液時に伸びが生ずるとともに紙力が低下し、エンボス１１２による空隙が１１３潰れて表裏面が平坦になることがある。
【０００５】
これにより従来キッチンペーパー１０１は、一度拭取り操作をしたのち水洗いをしたり、絞ったりしたのち、再度使用すべく、広げて折り畳む際にクレープ紙同士がくっついて展開し難く、繰り返し使用するにあたって使用者が不便を感ずることがあった。
【０００６】
他方、キッチンペーパーの製品形態の一つに、長尺のキッチンペーパーを紙製の管芯等に巻き取ったキッチンペーパーロールの形態がある。
紙製のキッチンペーパーを巻き取ったキッチンペーパーロールを製造する際には、クレープ紙同士を接着した後に巻き取り作業を行なうため、各クレープ紙同士を接着するための接着剤がロール状に巻かれてから固まり、巻き癖が付くことがあった。
【０００７】
このため、従来のキッチンペーパーは、このロール形態とした際に、特に管芯近くで巻き癖が強く、ロールから引き出した際にカットしづらく、また、カットしたキッチンペーパーがカールして使用しづらいことがあった。
【先行技術文献】
【特許文献】
【０００８】
【特許文献１】特開４８５２１３６号
【発明の概要】
【発明が解決しようとする課題】
【０００９】
そこで、本発明の主たる課題は、水や油などの液体を吸収しても嵩高さが損なわれず、エンボスによる表面の凹凸が維持され、しかも、巻き癖が少ないキッチンペーパーが巻かれたキッチンペーパーロールを提供することにある。
【課題を解決するための手段】
【００１０】
〔請求項１記載の発明〕
２プライの長尺のキッチンペーパーを巻き取ってロール状としたキッチンペーパーロールであって、
２プライを構成する各シートが坪量１５〜３５ｇ／ｍ2のクレープ紙であり、
各シートの長手方向の伸び率の差が３〜１０％あり、
各シートにエンボスが付与され、
各シートのエンボス凸部の頂部同士が対面して位置されているとともに、その頂部を介して両シートが接着され、
かつ、伸び率の高いシートが外側、伸び率の低いシートが内側となるようにして、巻き取られてロール形態とされている、ことを特徴とするキッチンペーパーロール。
【００１１】
〔請求項２記載の発明〕
各シートに、深さ０．２〜２．０ｍｍ、面積０．５〜４０ｍｍ2のエンボスが、エンボス密度１０〜５０個／ｃｍ2で付与されている、請求項１記載のキッチンペーパーロール。
【００１２】
〔請求項３記載の発明〕
キッチンペーパーロールは、長尺のキッチンペーパーを管芯に巻き取ったものであり、その直径が９０〜１３０ｍｍであり、管芯径が３０〜５０ｍｍであり、キッチンペーパーの巻長さ８．８〜３０ｍであり、かつ、裁断用のミシン目線が、キッチンペーパー長手方向に１００〜３００ｍｍの間隔で設けられている、請求項１又は２記載のキッチンペーパーロール。
【００１３】
〔請求項４記載の発明〕
２プライの長尺のキッチンペーパーを巻き取ってロール状としたキッチンペーパーロールの製造方法であって、
クレープ率１５〜２６％で抄造した坪量が１５〜３５ｇ／ｍ2のクレープ紙を製造する工程と、
クレープ率１８〜４１％でかつ前記クレープ紙よりもクレープ率を３〜１５％高めて抄造した坪量が１５〜３５ｇ／ｍ2のクレープ紙を製造する工程と、
前記各クレープ紙に対してエンボスを付与する工程と、
少なくとも一方のクレープ紙のエンボス凸部頂部に接着剤を付与する工程と、
各クレープ紙のエンボス凸部頂部同士を対面するように位置させる工程と、
各クレープ紙のエンボス凸部頂部同士を接着する工程と、を有することを特徴とするキッチンペーパーの製造方法。
【００１４】
（作用効果）
本発明のキッチンペーパーロールに係るキッチンペーパーは、所定の坪量で一方のシートが他方のシートよりも所定割合伸び率が高くなっているため、吸液時に各シートの伸びに差が生ずる。各シートは、エンボス凸部の接着剤によって部分的に互いに固定されているため、より伸びたシートは平面方向に伸びることができず、結果として厚み方向にエンボスによる空隙を膨らませるようにして伸びるようになる。その結果、吸液時に空隙が増加するとともにより伸びたシートの表面に凹凸がより発現する。
【００１５】
この作用によって、本発明のキッチンペーパーは、吸液時に厚み、嵩高さが発現するとともに、エンボスにより形成される空隙が潰れなくなり、表面の凹凸もより顕著になることから、一度拭取り操作をした際や、水洗いしたり、絞ったりした際に、クレープ紙同士が付かず、再度の使用のために、広げたり、折り畳みやすく、繰り返し使用しやすいものとなる。また、表面に凹凸が顕著になることから、汚れの掻き取り性と、吸液量、液保持量も向上する。
【００１６】
他方、キッチンペーパーロールは、通常はキッチンペーパーが張力をもって巻かれている。このため、使用時にロールからキッチンペーパーを引き出したり、その後に裁断したりするとその張力から開放されてキッチンペーパーが長手方向にやや収縮する。
【００１７】
本発明のキッチンペーパーロールは、長手方向の伸び率の異なるシートを積層したキッチンペーパーが巻かれたものであるため、使用時にキッチンペーパーを引き出したり、その後に裁断したりして、張力から開放された際、伸び率の差により各シートの収縮性に差が出る。
【００１８】
そして、本発明のキッチンペーパーロールは、特にキッチンペーパーが伸び率の高いシートが外側、伸び率の低いシートが内側となるようにして、巻き取られているため、外側に位置していたシートがより収縮し、ロールから引き出した際、又はその後にカットした際にカールせずに平坦となり、使用しやすいものとなる。
【００１９】
上記効果は、特に各シートに、深さ０．２〜２．０ｍｍ、面積０．５〜４０ｍｍ2のエンボスが、エンボス密度１０〜５０個／ｃｍ2で付与されているとより顕著となる。
【００２０】
また、キッチンペーパーロールの直径が９０〜１３０ｍｍであり、管芯径が３０〜５０ｍｍであり、キッチンペーパーの巻長さ８．８〜３０ｍであると、管芯際まで十分にカールの発生が抑制される。さらに、裁断用のミシン目線が、キッチンペーパー長手方向に１００〜３００ｍｍの間隔で設けられていると、裁断後のシートが平坦で使用しやすいものとなる。
【発明の効果】
【００２１】
以上のとおり本発明によれば、水や油などの液体を吸収しても嵩高さが損なわれず、エンボスによる表面の凹凸が維持され、しかも、巻き癖が少ないキッチンペーパーが巻かれたキッチンペーパーロールが提供される。
【図面の簡単な説明】
【００２２】
【図１】本発明の実施形態のキッチンペーパーを紙管に巻き取ったキッチンペーパーロールの斜視図である。
【図２】本発明の実施形態のキッチンペーパーの断面図である。
【図３】本発明の実施形態のキッチンペーパーの吸液前（ａ）と吸液後（ｂ）の変化を説明するための断面図である。
【図４】本発明の実施形態のキッチンペーパーのエンボスパターンを示す平面図である。
【図５】本発明の実施形態のキッチンペーパーの製造方法を説明するための図断面である。
【図６】本発明の実施形態のキッチンペーパーの製造方法を説明するための図である。
【図７】従来のキッチンペーパーの吸液前（ａ）と吸液後（ｂ）の変化を説明するための断面図である。
【発明を実施するための形態】
【００２３】
次いで、本発明の実施の形態について、図面を参照しながら以下に詳述する。
図１は、本実施形態のキッチンペーパー１をロール状に巻き取ったキッチペーパーロール１００であり、図２はその本実施形態に係るキッチンペーパー１の断面図である。
【００２４】
本実施形態のキッチンペーパーロール１００は、２枚のシート１１Ａ、１１Ｂが積層された２プライであり、各シート１１Ａ，１１Ｂがクレープ紙で構成された紙製のキッチンペーパー１を紙管に巻き取ったものである。
【００２５】
本実施形態に係るキッチンペーパー１は、両シート１１Ａ，１１Ｂにエンボス１２，１２…が付与されており、その両シート１１Ａ，１１Ｂのエンボス凸部の頂部１２ａ，１２ｂが対向するように位置し、そのエンボス凸部の頂部１２ａ，１２ｂ同士が接着剤４０により接着されて積層一体化されている。
【００２６】
本実施形態のキッチンペーパーロール１００は、そのキッチンペーパー１を構成するクレープ紙である各シート１１Ａ，１１Ｂの長手方向の伸び率に２〜１０％の差があり、その伸び率の高いシートが外側、伸び率の低いシートが内側となるようにして巻かれている。
【００２７】
キッチンペーパーロールは、一般にロール形態とする際に、キッチンペーパーに適切な張力を掛けつつ紙管に巻く必要がある。これは紙管に対する巻き付けが弱いとロールとした際に、紙管が抜けおちたり、竹の子状に紙管部分が端面から飛び出したりしてしまうからである。
【００２８】
本実施形態のキッチンペーパーロール１００は、キッチンペーパー１を構成する各シート１１Ａ，１１Ｂに所定の伸び率の差があるとともに、伸び率の高いシート１１Ａが外側、伸び率の低いシート１１Ｂが内側となるようにして、巻き取られているため、ロール形態とする際には、伸び率の低い内側となるシート１１Ｂが引っ張りに対してより抵抗して巻かれる。すなわち、伸び率の高い外側のシート１１Ａが引っ張りに対して余裕を持って巻かれるため、巻きの際に外側のシート１１Ａのクレープが伸びきらずクレープの微細な凹凸が十分に残るとともに、収縮しやすい態様で巻かれる。その結果、ロールから引き出した際や引き出してカットした際に、巻きの張力から開放されると、外側に位置していたシートがより収縮するようになり、カールせずに平坦となり、使用しやすいものとなる。
【００２９】
なお、本実施形態のキッチンペーパーロール１００は、上記のカール防止性が効果的に発現する、直径Ｌ１が９０〜１３０ｍｍ、幅Ｌ２が１００〜２５０ｍｍ、紙管径Ｌ４が３０〜５０ｍｍ、キッチンペーパー１の巻長さ８．８〜３０ｍの構成となっている。また、キッチンペーパー１に、裁断用のミシン目線５０が、キッチンペーパー長手方向の１００〜３００ｍｍ間隔Ｌ５でシート幅方向に亘って設けられている。
【００３０】
ここで、キッチンペーパーを巻き取ったキッチンペーパーロールでは、通常キッチンペーパーの長手連続方向が抄紙工程の流れ方向（ＭＤ方向）となり、キッチンペーパーロールの幅方向が、ＭＤ方向に直行する方向（ＣＤ方向）となる。本実施形態のキッチンペーパーロール１００もこのようになっており、長手方向がＭＤ方向であり、幅方向がＣＤ方向となっている。
【００３１】
他方、本実施形態のキッチンペーパーロール１００に係るキッチンペーパー１は、水、油等の液体が吸収されると各シート１１Ａ，１１Ｂがクレープ紙であるためクレープの伸びによって伸びるが、その伸びに差が生じて、特に伸び率の高いシート１１Ａがより伸びる。各シート１１Ａ，１１Ｂは接着剤４０で部分的に固定されているため、図３に示すように、１１Ｂよりも伸びて行き場のなくなった一方のシート１１Ａは紙面外方に向かって膨出するようになり、その結果、各シート間の空隙１３が広がるとともに、一方のシート１１Ａの表面の凹凸が顕著となる。その結果、吸液時に空隙が潰れ難く、表面の凹凸も維持されるため、吸液時にクレープ紙同士が密着し難くなる。このため、液体を拭き取ったり、水洗いしたり、絞ったりした際に、クレープ紙同士が密着しないため、再度の使用のために、広げたり、折り畳みやすくなり、繰り返し使用しやすいものとなる。また、表面に凹凸が発現することから、汚れの掻き取り性と、吸液量、液保持量も向上する。
【００３２】
なお、上記の伸びの差による各効果は、伸び率の差が２％未満ではその差が十分に発現せず、１０％を超えると製造が困難となる。なお、各シート１１Ａ，１１Ｂの伸び率は、ともに２０〜３５％の範囲にあるのが望ましい。２０％未満では、製造時に破断しやすく、３５％を超えると製造が難しくなる。
【００３３】
ここで、各シート１１Ａ，１１Ｂの長手方向はＭＤ方向であるため、そのＭＤ方向の伸びは、クレープ紙ではクレープに起因するところが大きいため、長手方向の伸び率に差を設ける方法としては、各層１１Ａ，１１Ｂを構成する原紙の抄造時のクレープ率を調整する方法が挙げられる。このとき、クレープ率を１５〜４１％の範囲でその差を３〜１５％とすると、上記伸び率及び伸び率の差とすることができる。
なお、クレープ率とは、（（ヤンキードライヤーの周速）−（巻き取りリールの周速））／（ヤンキードライヤーの周速）×１００（％）で算出される値である。
【００３４】
ここで、本実施形態における伸び率とは、各層を構成するクレープ紙が破断するまでＭＤ方向でもある長手方向に引張力を付与した際の単位長さ当たりの伸び量である。測定は、ＪＩＳ  Ｐ  ８１１３における引張破断伸びに準じて行なう。試料は、キッチンペーパーを２層（２プライ）一体状態で任意の箇所で長手方向に沿って１００ｍｍの位置でマーキングし、そのマーキング位置を含むようにして長手方向に１５０ｍｍ、幅方向に沿って２５ｍｍの矩形に裁断し、その裁断したものを各層に剥がして採取したものとする。
【００３５】
測定は、剥がした試料毎に行なうこととし、試料の固定は先にマーキングした箇所とする。なお、マーキングを行なうのは各層を剥がす際に少なからず伸びが生ずるためその伸びを考慮するためである。伸び率は、異なる５箇所から裁断して採取した試料の測定値の平均値とする。
【００３６】
他方、各シート１１Ａ，１１Ｂを構成するクレープ紙の１プライ当たりの坪量は１５〜３５ｇ／ｍ2である。ここでの坪量はＪＩＳ  Ｐ  ８１２４に基づくものである。坪量が上記範囲外であると伸び率の差による効果が得られないことがある。また、各シート１１Ａ，１１Ｂの坪量が１５ｇ／ｍ2未満であると柔らかさの点においては好ましいが、使用時の適正な強度を確保することが難しくなる。他方、坪量が３５ｇ／ｍ2を超えると、硬くなり、折り畳みや、拭取りがし難くなる。なお、各シート１１Ａ，１１Ｂの坪量は同一でもよいが、異なっていてもよい。
【００３７】
ここで、本実施形態に係るキッチンペーパー１の各シート１１Ａ，１１Ｂを構成するクレープ紙は、原料パルプに湿潤紙力剤や乾燥紙力剤などの薬剤を加えて調整した抄紙原料を、クレープ紙抄造技術により抄造した既知のクレープ紙を用いることができる。その原料パルプは特に限定されないが、キッチンペーパーが食材に触れる用途に用いられることから、特にバージンパルプのみをパルプ原料とするのがよく、その場合、特にＮＢＫＰ（針葉樹クラフトパルプ）とＬＢＫＰ（広葉樹クラフトパルプ）とを配合したものがよい。その配合割合（ＪＩＳ Ｐ ８１２０）は、ＮＢＫＰ：ＬＢＫＰ＝６０〜９０:４０〜１０がよい。ＮＢＫＰが多いほうが、エンボス１２がしっかりと付与されやすく、吸液性の向上効果が発現しやすい。
【００３８】
本実施形態に係るキッチンペーパー１のエンボス１２の平面視の具体的形状やそのエンボス１２の多数により描かれるエンボスパターンは限定されないが、好ましいエンボス１２の形状は、接着剤４０の付与性と各シート相互の接着性のために頂部１２ａ，１２ｂが平坦なものである。その場合、特に頂部１２ａ，１２ｂの面積が０．５〜４０．０ｍｍ2、より好適には０．７５〜４．０ｍｍ2、最も望ましくは１．０〜２．０ｍｍ2であるのがよい。
【００３９】
また、好適なエンボス１２の深さＤは、０．２〜２．０ｍｍである。０．２ｍｍ未満では十分な空隙１３を確保できず、また、伸びの差による吸液時の嵩高発現効果、空隙向上効果、表面凹凸の発現効果、吸液性向上効果が発現し難くなる。また、２．０ｍｍを超えるとエンボス１２が潰れやすくなる。
【００４０】
単位面積あたりのエンボス１２の好適な個数（エンボス密度）は１０〜５０個／ｍ2である。１０個未満では、各シート１１Ａ，１１Ｂの伸び差による嵩高発現効果、空隙向上効果、表面凹凸の発現効果、吸液性向上効果が十分に発現しないおそれがある。５０個を超えるとキッチンペーパー１が硬くなる。
【００４１】
本実施形態のキッチンペーパーロール１００のキッチンペーパー１における特に好ましいエンボスパターンは、図４に示すように、エンボス１２，１２…が規則的に多数形成されたエンボスセクションＸ，Ｘ…と、このエンボスセクションＸ，Ｘ…間にエンボスが形成されていない、直線状に交差する格子状の抜き柄セクションＹが形成されたエンボスパターンである。抜き柄セクションＹにおいては、各シートは接着されない。
【００４２】
このエンボスセクションＸと抜き柄セクションＹを設けたエンボスパターンは、エンボスセクションＸでＺ方向（深さ方向、紙層方向でもある）に水分が拡散しやすく、抜き柄セクションＹで平面方向へ水分が拡散しやすくなり、Ｚ方向と平面方向とにおける水分の拡散性のバランスがよく、液保持性や吸液量、液保持量に加え吸液速度にも優れたものとなる。
【００４３】
なお、抜き柄セクションＹは、格子状である限り、正四角形の格子であるほか、長方形の格子や斜め格子形状であってもよい。格子の一辺の長さは１．７３１〜５０．０ｍｍ、好適には１５．０〜５０．０ｍｍで、幅が０．８２４〜２０．０ｍｍ、好適には１．２〜５．０ｍｍが望ましい。この格子長さが過度に短いと、エンボスセクションＸによる十分な吸液性向上が得られない。反対に、格子長さが過度に長いと、抜柄セクションＹによる平面方向への拡散が十分得られない。また、格子幅が過度に短いと、抜柄の空間が小さく拡散前に抜き空間が液体により飽和してしまうため、吸液速度が得られない。反対に、格子幅が過度に長いと、抜柄部で各層が貼りつくことで抜柄の空間が維持されず、拡散せず、伸び差の効果の発現し難くなるおそれがある。
【００４４】
なお、抜き柄セクションＹの面積はエンボスセクションＸの面積の１０．０〜５０．０％、特に２０．０〜３０．０％が望ましい。
【００４５】
他方、本実施形態に係るキッチンペーパー１における各シート同士を接着する接着剤４０は、水溶性接着剤であるのが望ましい。好ましい水溶性接着剤は、ＰＶＡ（ポリビニルアルコール）、ＣＭＣ（カルボキシメチルセルロール）、アクリル系エマルジョンが例示できる。
【００４６】
他方、本実施形態に係るキッチンペーパー１は、接着部分の平面視での総面積は、全面積（平面視における一方面の面積）の５．０〜３０．０％、好適には９．０〜２５．０％、最も望ましくは１０．０〜１４．５％である。５．０％未満では接着が不十分で吸液性の向上効果が十分ではなくなるおそれがあり、２５．０％を超えると接着剤によってキッチンペーパー全体が硬くなりすぎるおそれがある。
【００４７】
次いで、本実施形態のキッチンペーパーロール１００の製造方法例を図５、図６を参照しながら説明する。
【００４８】
本実施形態に係るキッチンペーパーロール１００は、キッチンペーパー１を構成する各シート１１Ａ，１１Ｂに係るクレープ紙１０ａ，１０ｂを巻き取った各原反ロール１０Ａ，１０Ｂから、それぞれクレープ紙１０ａ，１０ｂを適宜の速度で繰り出し、図５（ａ）に示すように各クレープ紙１０ａ，１０ｂにそれぞれ別途にエンボス１２，１２を付与し、その後に図５（ｂ）に示すように各クレープ紙１０ａ，１０ｂの少なくとも一方のクレープ紙のエンボス凸部頂部１２ａにそれぞれ接着剤４０を付与し（図示の形態では１０ａに付与している）、次に図５（ｃ）に示すように、各クレープ紙１０ａ，１０ｂを接着して積層一体化して製造することができる。
【００４９】
原反ロール１０Ａ，１０Ｂは、抄紙設備で抄造したクレープ紙を巻き取った所謂一次原反ロール、その一次原反ロールを適宜の直径に巻き直したり、適宜の幅（長さ）に裁断したりして製造した所謂二次原反ロールを用いることができる。
【００５０】
各クレープ紙１０ａ，１０ｂへのエンボス１２，１２…の付与は、表面にエンボス形状に対応する多数のエンボス付与凸部が形成された金属製エンボスロール２１Ａ，２１Ｂと、この金属製エンボスロール２１Ａ，２１Ｂを受ける弾性ロール２２Ａ，２２Ｂとで構成される所謂スチールラバー方式のエンボス付与装置２０Ａ，２０Ｂで行なうのがよい。スチールラバー方式は、ロールのクリアランス調整がしやすく、ロールに紙粉等が詰まるなどの不具合が生じ難い。
【００５１】
そして、クレープ紙１０ａ，１０ｂにエンボス付与を行なう際には、まずクレープ紙１０ａ，１０ｂを弾性ロール２２Ａ，２２Ｂに巻き掛け、その弾性ロール２２Ａ，２２Ｂ上を搬送する過程で金属製エンボスロール２１Ａ，２１Ｂとの間に通してエンボスを付与し、そのエンボス付与後からクレープ紙が金属製エンボスロールに巻き掛けられた状態で下流へ搬送するようにするのがよい。
【００５２】
クレープ紙１０ａが金属製エンボスロール２１Ａ上を搬送されている際に、この金属製エンボスロール２１Ａに接するように配置した刷版ロール３１を有する印刷装置３０によってクレープ紙１０ａの表面に接着剤４０を付与することが可能となる。クレープ紙１０ａは、エンボス付与時における押圧によって金属製エンボスロール２１Ａの表面凹凸形状に応じた形状に変形され表面に密着しているため、このようにするとクレープ紙１０ａのエンボス凸部頂部１２ａのみに接着剤が好適に付与される。なお、図示例では、各クレープ紙１０ａ，１０のうち一方のクレープ紙１０ａのエンボス凸部頂部１２ａに接着剤４０を付与した形態を示しているが、他方のクレープ紙１０ｂのエンボス凸部頂部１２ｂに同様にして接着剤４０を付与することができる。いずれか一方ではなく両クレープ紙１０ａ，１０ｂの双方に接着剤を付与してもよい。
【００５３】
上記印刷装置３０は、フレキソ印刷機、グラビア印刷機、既知の塗工機、ロール転写以外のスプレー塗布装置等を採用できる。特に、フレキソ印刷機は、刷版ロールが樹脂製で表面に弾性があるため、金属製エンボスロール２１Ａ上のクレープ紙１０ａのエンボス凸部頂部１２ａに対して接着剤４０をロール転写するのに特に適する。図示例は、ドクターチャンバー式のフレキソ印刷機としている。
【００５４】
他方、図示例の装置構成では、各エンボス付与装置２０Ａ，２０Ｂにおける各クレープ紙１０ａ，１０ｂを搬送する金属製エンボスロール２１Ａ，２１Ｂの周面同士が対面するように配置されており、各クレープ紙１０ａ，１０ｂが当該位置で接着されるようになっている。図示の装置は、特に、各金属製エンボスロール２１Ａ、２１Ｂの周面が対面する位置において、各金属製エンボスロール２１Ａ，２１Ｂの周面に形成されたエンボス付与凸部１２ａ，１２ｂの頂部同士が対面一致するようにロール径、回転速度等が調整され、各クレープ紙１０ａ，１０ｂに付与されたエンボス凸部頂部１２ａ，１２ｂ同士が対向して位置されるようになっている。
【００５５】
なお、エンボス付与時におけるロール間の線圧は５〜３０ｋｇ／ｃｍ、好ましくは１０〜２５ｋｇ／ｃｍ、より好ましくは１５〜２０ｋｇ／ｃｍである。線圧が低いとエンボスが鮮明にならず、線圧が高いとクレープ紙が破断するおそれが高まる。
【００５６】
また、弾性ロール２２Ａ，２２Ｂは、その表面のショア硬度（Ｓｈｏｒｅ ｈａｒｄｎｅｓｓ）が、４０〜７０であるのが好ましい。ショア硬度が低すぎると、つまり弾性ロール表面がやわらかすぎると、シート又はシート地が破断するおそれがある。他方、ショア硬度が高すぎると、つまり弾性ロール表面が硬すぎると、エンボスが入らなくなるおそれがある。
【００５７】
なお、エンボス１２，１２…を付与するにあたって、接着剤が乾燥しない範囲で金属製エンボスロール２１Ａ，２１Ｂを加熱してもよい。具体的には４０〜１４０℃の範囲とするのがよい。エンボスを鮮明・明瞭に付与できる。
【００５８】
上記の積層一体化により製造されたキッチンペーパー１は、図示はしないが、その後に長幅の紙管に対して伸び率の高いクレープ紙１０ａが常に外側となるようにして巻き取り、製品径でかつ製品の複数倍幅の中間製品（ログとも称される）とした後、この中間製品を幅方向に適宜の間隔で裁断してキッチンペーパーが巻かれたロール状の製品とする。
【符号の説明】
【００５９】
１，１０１…キッチンペーパー、１００…キッチンペーパーロール、１０Ａ，１０Ｂ…原反ロール、１１Ａ，１１Ｂ…シート、１０ａ，１０ｂ…クレープ紙、１２…エンボス、１２ａ，１２ｂ…エンボス凸部頂部、１３…空隙、４０…接着剤、Ｘ…エンボスセクション、Ｙ…抜き柄セクション、２０Ａ，２０Ｂ…エンボス付与装置、２１Ａ，２１Ｂ…金属製エンボスロール、２２Ａ，２２Ｂ…弾性ロール（受けロール）、３０…印刷装置、３１…刷版ロール、５０…ミシン目線、Ｌ１…キッチンペーパーロールの直径、Ｌ２…キッチンペーパーロールの幅、Ｌ４…キッチンペーパーロールの管芯径、Ｌ５…キッチンペーパーのミシン目線間隔。